(57)【要約】【課題】振動を受けてもマーチングバスドラムがキャリアーから浮き上がることなく、安定してマーチングバスドラムを所望の位置に固定することができるマーチングバスドラムの支持構造、マーチングバスドラム、キャリアーを提供すること。【解決手段】バスドラム１はキャリアー２に、２つの第１連結機構３，４と、１つの第２連結機構５とにより保持される。第２連結機構５は、バスドラム１に設けられる連結部材４２と、キャリアー２に設けられ、先端が連結部材４２と係合可能なスライド部材８９とを有している。第１連結機構３，４は、バスドラム１に設けられ下向きに開口したフック受部材と、キャリアー２に設けられ、フック受部材に差し込まれるフックとを有している。従って、スライド部材８９によりバスドラムの位置を容易に調整できるとともに、振動を受けてもバスドラム１が不用意に跳ね上がることを防止できる。【選択図】      図１
2006146122.tif 000002
【特許請求の範囲】
【請求項１】
マーチングバスドラムのドラムヘッドを鉛直に配置した状態で、演奏者に装着されるキャリアーを介して、前記マーチングバスドラムを支持するための支持構造において、
前記キャリアーに設けられた掛止部と、前記マーチングバスドラムに設けられた被掛止部とを備え、前記掛止部に前記被掛止部が掛止された状態で、前記マーチングバスドラムを前記キャリアーに対して変位可能に連結するための第１連結機構と、
前記第１連結機構により、前記マーチングバスドラムが前記キャリアーに変位可能に連結された状態で、そのマーチングドラムの前記キャリアーに対する相対移動を規制するように、前記マーチングドラムをキャリアーに連結するための第２連結機構と
を備えることを特徴とするマーチングバスドラムの支持構造。
【請求項２】
前記支持構造は、２つの前記第１連結機構と１つの前記第２連結機構とを含み、前記マーチングバスドラムが演奏者に装着された前記キャリアーに支持されたとき、当該２つの第１連結機構が、当該１つの第２連結機構よりも上方に位置することを特徴とする請求項１に記載のマーチングバスドラムの支持構造。
【請求項３】
前記第１連結機構は、前記マーチングバスドラムが前記キャリアーに掛止されたとき、当該マーチングバスドラムをマーチングバスドラムの軸線と平行な軸線の周りに回動可能に支持し、
前記第２連結機構は、前記第１連結機構により、前記マーチングバスドラムが前記キャリアーに回動可能に支持された状態で、そのマーチングドラムの前記キャリアーに対する変位を規制するように、前記マーチングドラムをキャリアーに連結することを特徴とする請求項１又は請求項２に記載のマーチングバスドラムの支持構造。
【請求項４】
前記第２連結機構は、一端が前記マーチングバスドラムの胴体部に連結され、他端が前記キャリアーに連結される連結部材を備え、当該連結部材により、前記マーチングドラムの前記キャリアーに対する変位を規制することを特徴とする請求項３に記載のマーチングバスドラムの支持構造。
【請求項５】
前記第２連結機構は、前記キャリアーに位置調節可能に設けられたスライド部材を備え、そのスライド部材を介して前記連結部材がキャリアーに連結されることを特徴とする請求項４に記載のマーチングバスドラムの支持構造。
【請求項６】
前記連結部材は、前記マーチングバスドラムの軸線と平行な軸線の周りに回動し得るように前記マーチングバスドラムに連結されていることを特徴とする請求項５に記載のマーチングバスドラムの支持構造。
【請求項７】
前記スライド部材と、前記連結部材とは、分離可能に連結されることを特徴とする請求項５又は請求項６に記載のマーチングバスドラムの支持構造。
【請求項８】
前記キャリアーの掛止部、及び、前記マーチングバスドラムの被掛止部の内、一方に軸部を備え、
他方に、当該軸部が挿入される軸受部を備えることを特徴とする請求項１乃至請求項７のいずれか１項に記載のマーチングバスドラムの支持構造。
【請求項９】
前記軸部は前記キャリアーの掛止部に設けられ、前記軸受部が前記被掛止部に設けられ、前記軸受部は前記軸部を受け入れるための凹部を有することを特徴とする請求項８に記載のマーチングバスドラムの支持構造。
【請求項１０】
請求項４又は請求項５に記載のマーチングバスドラムの支持構造における前記連結部材を有することを特徴とするマーチングバスドラム。
【請求項１１】
請求項５又は請求項７に記載のマーチングバスドラムの支持構造における前記スライド部材を有することを特徴とするキャリアー。
【発明の詳細な説明】
【技術分野】
【０００１】
本発明は、マーチングバスドラムの支持構造、マーチングバスドラム、及びキャリアーに関する。
【背景技術】
【０００２】
従来、例えば特許文献１に開示されるように、演奏者がマーチングバスドラム（以下、単に「バスドラム」ともいう。）１１０のドラムヘッドを鉛直に保持した状態で、バスドラム１１０を演奏するための専用のキャリアー１１１（保持具）が知られている。図１４は、特許文献１に記載されるバスドラム１１０用のキャリアー１１１を示す斜視図である。なお、図１４において、キャリアー１１１を装着する時に演奏者から見て前方を「前」として説明する。
【０００３】
図１４に示すように、このキャリアー１１１は、逆Ｕ字形状の２つのストラップ１１２と、演奏者の腹部に当接される胴当プレート１１３と、ストラップ１１２と胴当プレート１１３とを連結するアーム１１４とを含んでいる。さらに、各ストラップ１１２の前端において、アーム１１４との連結部近傍には、Ｊ字形状のフック１１５が設けられ、各フック１１５の鍵状部が上向きにかつ前方に突出している。また、胴当プレート１１３には、Ｊ字形状の２つのロッド１１６がブラケット１１７を介してそれぞれ固定され、各ロッド１１６の鍵状部が前向きにかつ上方に突出している。
【０００４】
上記のキャリアー１１１は、各ストラップ１１２が演奏者の肩上に掛けられ、胴当プレート１１３が演奏者の腹部に当接された状態で、演奏者に装着される。そして、バスドラム１１０の胴体部に装着された２つのリング１１８にキャリアー１１１の２つのフック１１５がそれぞれ挿入されて掛止され、かつ、バスドラム１１０の胴体部に各ロッド１１６の先端が下方から当接することにより、バスドラム１１０がキャリアー１１１に保持される。
【特許文献１】米国特許第６３２３４０７号明細書（図８）
【発明の開示】
【発明が解決しようとする課題】
【０００５】
上記した従来の構造では、キャリアー１１１からのバスドラム１１０の取り外しを容易とするために、フック１１５とドラム側リング１１８との間には十分なクリアランスが設けられている。また、バスドラム１１０は各ロッド１１６によりその下方から自重に抗して支えられている。このため、演奏者が行進すると、バスドラム１１０が振動し、バスドラム１１０とリング１１８との間やバスドラム１１０の胴体部と各ロッド１１６との間から異音が生じるという問題があった。
【０００６】
また、演奏者がジャンプするなどして、バスドラム１１０に上方への力が加わった場合には、バスドラム１１０は容易に上方へ移動してしまう。この場合、バスドラム１１０はロッド１１６から浮き上がるという問題もあった。
【０００７】
演奏中にバスドラム１１０が跳ね上がってもキャリアー１１１から不用意に外れないようにするため、従来の装置では、バスドラム１１０がロッド１１６から上方へ大幅に離間するように、バスドラム１１０を持ち上げない限りは、フック１１５からバスドラム１１０のリング１１８が外れないような構造になっている。そのため、演奏後におけるキャリアー１１１からのバスドラム１１０の取り外しが煩雑であるという問題があった。
【０００８】
上記キャリアー１１１による支持構造では、２つのフック１１５に掛止されたバスドラム１１０が２つのロッド１１６によって支持されている。そのため、この２つのロッド１１６の位置にずれが生じると、演奏者に対してバスドラム１１０が斜めに配置され、不安定になることもあった。
【０００９】
そこで、本発明は、このような問題に鑑みてなされたものであり、その目的は、振動を受けてもマーチングバスドラムがキャリアーから浮き上がることなく、安定してマーチングバスドラムを保持することができるマーチングバスドラムのキャリアー及びマーチングバスドラムを提供することにある。
【課題を解決するための手段】
【００１０】
上記課題を課題を解決するため、請求項１に記載のマーチングバスドラムの支持構造では、マーチングバスドラムのドラムヘッドを鉛直に配置した状態で、演奏者に装着されるキャリアーを介して、前記マーチングバスドラムを支持するための支持構造において、前記キャリアーに設けられた掛止部と、前記マーチングバスドラムに設けられた被掛止部とを備え、前記掛止部に前記被掛止部が掛止された状態で、前記マーチングバスドラムを前記キャリアーに対して変位可能に連結するための第１連結機構と、前記第１連結機構により、前記マーチングバスドラムが前記キャリアーに変位可能に連結された状態で、そのマーチングドラムの前記キャリアーに対する相対移動を規制するように、前記マーチングドラムをキャリアーに連結するための第２連結機構とを備えることを要旨とする。
【００１１】
請求項２に記載のマーチングバスドラムの支持構造では、請求項１に記載のマーチングバスドラムの支持構造において、前記支持構造は、２つの前記第１連結機構と１つの前記第２連結機構とを含み、前記マーチングバスドラムが演奏者に装着された前記キャリアーに支持されたとき、当該２つの第１連結機構が、当該１つの第２連結機構よりも上方に位置することを要旨とする。
【００１２】
請求項３に記載のマーチングバスドラムの支持構造では、請求項１又は請求項２に記載のマーチングバスドラムの支持構造において、前記第１連結機構は、前記マーチングバスドラムが前記キャリアーに掛止されたとき、当該マーチングバスドラムをマーチングバスドラムの軸線と平行な軸線の周りに回動可能に支持し、前記第２連結機構は、前記第１連結機構により、前記マーチングバスドラムが前記キャリアーに回動可能に支持された状態で、そのマーチングドラムの前記キャリアーに対する変位を規制するように、前記マーチングドラムをキャリアーに連結することを要旨とする。
【００１３】
請求項４に記載のマーチングバスドラムの支持構造では、請求項３に記載のマーチングバスドラムの支持構造において、前記第２連結機構は、一端が前記マーチングバスドラムの胴体部に連結され、他端が前記キャリアーに連結される連結部材を備え、当該連結部材により、前記マーチングドラムの前記キャリアーに対する変位を規制することを要旨とする。
【００１４】
請求項５に記載のマーチングバスドラムの支持構造では、請求項４に記載のマーチングバスドラムの支持構造において、前記第２連結機構は、前記キャリアーに位置調節可能に設けられたスライド部材を備え、そのスライド部材を介して前記連結部材がキャリアーに連結されることを要旨とする。
【００１５】
請求項６に記載のマーチングバスドラムの支持構造では、請求項５に記載のマーチングバスドラムの支持構造において、前記連結部材は、前記マーチングバスドラムの軸線と平行な軸線の周りに回動し得るように前記マーチングバスドラムに連結されていることを要旨とする。
【００１６】
請求項７に記載のマーチングバスドラムの支持構造では、請求項５又は請求項６に記載のマーチングバスドラムの支持構造において、前記スライド部材と、前記連結部材とは、分離可能に連結されることを要旨とする。
【００１７】
請求項８に記載のマーチングバスドラムの支持構造では、請求項１乃至請求項７のいずれか１項に記載のマーチングバスドラムの支持構造において、前記キャリアーの掛止部、及び、前記マーチングバスドラムの被掛止部の内、一方に軸部を備え、他方に、当該軸部が挿入される軸受部を備えることを要旨とする。
【００１８】
請求項９に記載のマーチングバスドラムの支持構造では、請求項８に記載のマーチングバスドラムの支持構造において、前記軸部は前記キャリアーの掛止部に設けられ、前記軸受部が前記被掛止部に設けられ、前記軸受部は前記軸部を受け入れるための凹部を有することを要旨とする。
【００１９】
請求項１０に記載のマーチングバスドラムでは、請求項４又は請求項５に記載のマーチングバスドラムの支持構造における前記連結部材を有することを要旨とする。
請求項１１に記載のキャリアーでは、請求項５又は請求項７に記載のマーチングバスドラムの支持構造における前記スライド部材を有することを要旨とする。
【発明の効果】
【００２０】
本発明によれば、振動を受けてもマーチングバスドラムがキャリアーから浮き上がることなく、安定してマーチングバスドラムを保持することができる。
【発明を実施するための最良の形態】
【００２１】
以下、本発明を具体化したマーチングバスドラムの複数の実施形態を、図１〜図１３に従って詳細に説明する。
（第１実施形態）
まず、本発明の第１実施形態を、図１〜図１０に従って説明する。図１は、マーチングバスドラム（以下「バスドラム」と略記することがある。）１をキャリアー２に取り付けた状態を示す。図１に示すように、バスドラム１は、二箇所の上側の第１連結機構３，４と、一箇所の下側の第２連結機構５を介してキャリアー２に取り付けられている。なお、以下の説明において、バスドラム１を保持したキャリアー２を装着した演奏者から見て前方（すなわち、図１においてバスドラム１側）を「前」とし、演奏者から見て右側を「右」として説明することとする。図１０に示すように、本実施形態によれば、大きさの異なる複数のバスドラム１（バスドラム１ａ，１ｂ，１ｃ）を、第１連結機構３，４及び第２連結機構５を介してキャリアー２に選択的に取り付けることが可能である。
【００２２】
（マーチングバスドラム１）
図１に示すように、バスドラム１は左右両端が開口した木製の円筒状の胴体部６を備える。そして、円形の膜状の右側のヘッド７及び左側のヘッド８が胴体部６の両端の開口部を塞ぐようにそれぞれ張られて鉛直方向に延びるヘッド面を構成している。胴体部６の左右の外周縁には、ヘッド７，８の張りを調整するための複数個（本実施形態では８個）のヘッド調整装置９が等角度間隔をおいて設けられている。
【００２３】
図２は、左側のヘッド調整装置９を示す。図２に示すように、左側のヘッド８はその外周縁を、環状のヘッド枠１２によって保持されている。そして、このヘッド枠１２は、胴体部６の左側の開口部の外周縁に嵌合され、ヘッド８は、胴体部６の開口部を覆うように配置される。ヘッド枠１２の外側には、ヘッド枠１２を内側に押圧する環状のフープ１３が装着されている。フープ１３は、ヘッド調整装置９に支持されて、胴体部６からは離間している。
【００２４】
ヘッド調整装置９は、以下のように構成されている。すなわち、胴体部６の左右の外周縁には、それぞれ８個のラグ１４が４５度の等角度間隔をおいて配置されている。各ラグ１４は中空に形成され、胴体部６を内側から貫通する２本のねじ１８によって胴体部６の外周に固定されている。各ラグ１４には、ヘッド７，８に向けて突出するラグナット１５が設けられている。各ラグナット１５にはラグボルト１６が螺入されている。各ラグボルト１６の頭部は、フープ掛止部材２１を介してフープ１３の外側に配置され、各ラグボルト１６により、フープ１３と各ラグ１４とが連結されている。ラグボルト１６をラグナット１５にねじ込むと、フープ掛止部材２１が、フープ１３を付勢し、フープ１３はヘッド枠１２をラグ１４に向かって付勢する。ヘッド８は胴体部６の開口部縁端に押しつけられて、その張力を増強され、音程が高音側に調整される。
【００２５】
図４は、第１連結機構３，４の一部を破断して示す平面図である。図５は、図１におけるＢ−Ｂ線における断面図である。第１連結機構３，４はバスドラム１側の部材とキャリアー２側の部材とを備えている。各第１連結機構３，４のうち、まず、バスドラム１に設けられる被掛止部２８ｂについて、図４、５に従って説明する。
【００２６】
各第１連結機構３，４は、バスドラム１に固定される固定プレート２７と、固定プレート２７に装着されて、キャリアー２上のフック８３に掛止されるフック受部材２８とを備える。固定プレート２７は金属板からなる。固定プレート２７は、長方形の背板部２９と、この背板部２９の左右の両側縁から後方に折り曲げられて形成された、一対の対向した側板部３１，３２とを備えている。背板部２９は胴体部６に当接され、胴体部６の内側から２本のねじ３３によって胴体部６に固定されている。一対の側板部３１，３２には、バスドラム１の軸線と平行に延びるボルト３４が架設されている。
【００２７】
フック受部材２８は、一対の側板部３１，３２の間においてボルト３４に挿通される筒状の回動部２８ａと、円筒状をなし、上端が閉塞され、かつ、下向きに開口した凹部３０を有する被掛止部２８ｂとから構成されている。そして、回動部２８ａとボルト３４との間には、一対のブッシュ３５，３６が装着されている。各ブッシュ３５，３６は、例えばポリアミド樹脂により形成され、円筒状の本体と、その本体の一端部の外周縁に形成されたフランジとを備えている。円筒状本体は回動部２８ａとボルト３４との間に配置され、フランジは回動部２８ａと側板部３１，３２との間に配置されている。そして、両ブッシュ３５，３６により、ボルト３４に加わる衝撃を緩衝して、異音の発生を防止するとともに、ボルト３４及びフック受部材２８に対して適度な摩擦抵抗を与えている。ボルト３４は、ワッシャー３７を介して左方の側板部３１から右方の側板部３２へ挿入され、ワッシャー３８及びばねワッシャー３９を介してナット４１により、固定プレート２７に固定されている。このボルト３４とナット４１の螺合により、固定プレート２７の両側板部３１，３２はブッシュ３５，３６を介してフック受部材２８の回動部２８ａを左右から押圧する。
【００２８】
フック受部材２８の被掛止部２８ｂは、回動部２８ａの略中央に一体に設けられ、回動部２８ａとともに回動可能である。そして、任意の位置、例えば、被掛止部２８ｂの凹部３０を下向きに開口した状態で固定することが可能である。詳しくは、ボルト３４とナット４１との螺合量に応じて、側板部３１，３２がブッシュ３５，３６を介して回動部２８ａに押圧され、回動部２８ａの回動に対しては、側板部３１，３２及びブッシュ３５，３６により適度な抵抗が付与される。そのため、被掛止部２８ｂの角度調整が容易でありながら、任意の角度位置に被掛止部２８ｂを固定して、その位置を維持することが可能である。そして、図５に示すように、バスドラム１がキャリアー２に取り付けられる際には、キャリアー２のフック８３が、フック受部材２８の被掛止部２８ｂの凹部３０に挿入され、それにより、フック受部材２８がフック８３に掛止される。そのため、バスドラム１はキャリアー２に対し、ボルト３４の軸線の回りに回動位置を調節可能に保持される。
【００２９】
次に、第２連結機構５について説明する。図１に示すように、第２連結機構５は、第１連結機構３，４の略中央においてそれらよりも下方に設けられている。バスドラム１には第２連結機構５を構成する連結部材４２が取り付けられている。図６は、第２連結機構５の右側面図であり、図７は、図６におけるＣ−Ｃ線断面図である。第２連結機構５はバスドラム１側の部材とキャリアー２側の部材とを備えている。まず、図６、図７を参照して、第２連結機構５のバスドラム１側の部材について説明する。
【００３０】
第２連結機構５は、バスドラム１に装着された固定プレート４５と、中空のパイプからなる連結部材４２と、この連結部材４２と固定プレート４５とを連結する上側の連結体４６とを含んでいる。連結部材４２は、図１に示すように、バスドラム１の胴体部６からキャリアー２の下部に向かって斜め下方へ延びている。
【００３１】
ここで、図７に示すねじ４４、固定プレート４５、ボルト４７、ブッシュ３５，３６及び連結体４６の取付構造は、前記第１連結機構３，４の取付構造と同様である。各第１連結機構３，４のフック受部材２８が連結体４６に置き換えられている点で、第２連結機構５は各第１連結機構３，４と異なっている。
【００３２】
すなわち、ボルト４７の外周には、連結体４６が、ワッシャー４８，４９、ばねワッシャー５１、ナット５２の各部材により取り付けられている。従って、連結体４６とボルト４７とは相対回動可能であり、適度な抵抗を伴って連結体４６をボルト４７の周りに回動させられるため、任意の角度位置に連結体４６を保持することが可能である。また、連結体４６には凹部５３が形成され、その凹部５３に連結部材４２が挿入された状態で、スプリングピン５４によって連結体４６に連結部材４２が固定されている。
【００３３】
連結部材４２の先端（下端）には、ドラム側係止部材５５が取り付けられている。図８（ａ）−（ｅ）はドラム側係止部材５５を示す。図８（ａ）はドラム側係止部材５５を部品単独でみたときの正面図であって、図６の矢印Ｄ側から見た場合の図である。以下同様に、図８（ｂ）は平面図、図８（ｃ）は左側面図、図８（ｄ）は右側面図、図８（ｅ）は、図８（ｂ）のＥ−Ｅ線断面図である。
【００３４】
図８（ａ），（ｂ），（ｅ）に示すように、ドラム側係止部材５５は、上方に開口した挿入孔６１を有する円筒状の結合部５６と、図７に示すようにキャリアー側係止部材９２と係合する係合部５７とを備えている。結合部５６の挿入孔６１には連結部材４２が挿入される。
【００３５】
係合部５７は、結合部５６からそれぞれ下方に突設された左側突起５８と右側突起５９とを備え、これらの左側突起５８及び右側突起５９の内面、並びに、結合部５６の下面によって囲まれた空間により、挿入部６２が形成されている。さらに、左側突起５８の内面には、半球状の凸部６３が形成されている。一方、右側突起５９には、左側突起５８の凸部６３と対向する位置にねじ孔６４が形成されている。そして、図７に示すように、このねじ孔６４には外側からボルト６５が螺入される。
【００３６】
（キャリアー２）
次に、キャリアー２の構造について説明する。図３は、キャリアー２を前側から見た図である。図１、図３に示すように、キャリアー２は、演奏者の肩の形状に応じてアーチ状に形成された一対のストラップ７１と、演奏者の腹部を覆うようにその腹部に当接される胴当プレート７２と、ストラップ７１と胴当プレート７２とを連結する２本のアーム７３とを備えている。２本のアーム７３は、高さ方向の略中央において、連結部材７４によって連結されている。また、２本のアーム７３の上端部はそれぞれ略水平に延び、概ね同一直線上に配置されている。
【００３７】
図３及び図５に示すように、各ストラップ７１の前端には、各アーム７３の上端部を連結するための連結ブラケット７５が取り付けられている。各連結ブラケット７５には一対の連結片が形成されており、両連結片の間にアーム７３を挟持した状態で、ボルト７６を締め付けることにより、連結ブラケット７５がアーム７３に任意の角度で固定される。なお、図５に示すように、このボルト７６は、連結ブラケット７５を貫通してストラップ７１に螺入され、連結ブラケット７５とストラップ７１とを固定しており、その結果、アーム７３とストラップ７１とが連結されている。
【００３８】
次に、第１連結機構３，４を構成するキャリアー２側の部材について説明する。図３及び図５においてアーム７３の下方に位置するように、各連結ブラケット７５の下部には、側方及び前方に向かって開口するとともに左右に延びる溝７７が形成されている。図５に示すように、各溝７７にはボルト７８の頭部７８ａが側方から挿入され、ねじ部７８ｂが溝７７の前部開口から前方へ突出している。ボルト７８は溝７７に沿ってスライド可能である。そして、ワッシャー７９，８１を介してねじ部７８ｂにナット８２が螺合されることにより、そのナット８２とボルト７８の頭部７８ａとによって溝７７の開口部周縁７７ａが挟持されて、ボルト７８が連結ブラケット７５に固定される。さらに、ボルト７８の前端には上方へ突出するフック８３が形成されている。
【００３９】
そして、バスドラム１をキャリアー２に装着する場合には、このフック８３すなわち各第１連結機構３，４のキャリアー側の掛止部に、各第１連結機構３，４のドラム側の被掛止部としてのフック受部材２８が上方から掛止される。
【００４０】
一方、図３に示すように、一対のアーム７３の間隔は、連結部材７４から下方に向かって次第に広げられ、胴当プレート７２に対向する部分では、略平行に上下に延びている。胴当プレート７２には各アーム７３に対応するブラケット８４，８５がねじ（図示略）により取り付けられている。そして、各ブラケット８４，８５にはそれぞれ一対の連結片が形成され、一対の連結片の間の開口部に各アーム７３の下部がそれぞれ挿通されている。そして一対の連結片は、各ボルト８６，８７により締め付けられることで各アーム７３が各ブラケット８４，８５に挟持されて、アーム７３と胴当プレート７２とが連結されている。
【００４１】
次に、第２連結機構５におけるキャリアー２側の構成について説明する。胴当プレート７２において、２つのブラケット８４，８５の略中間には、両ブラケット８４，８５と同様の構成を有する別のブラケット８８がねじ（図示略）により取り付けられている。このブラケット８８を介して、スライド部材８９が胴当プレート７２に装着されている。このスライド部材８９は、略鉛直に配置された棒状の部材であり、ブラケット８８の開口部に挿通された状態でボルト９１を締め付けることにより、胴当プレート７２に固定される。ボルト９１を緩めれば、スライド部材８９はブラケット８８に対してスライド可能となるため、キャリアー２に対して相対的に移動させることができ、よって、スライド部材８９の高さを適宜調整することができる。
【００４２】
図３、６、７に示すように、スライド部材８９の先端（上端）には、ドラム側係止部材５５と係合するキャリアー側係止部材９２が取り付けられている。図９（ａ）−（ｆ）は、キャリアー側係止部材９２を示す。図９（ａ）は正面図、図９（ｂ）は平面図、図９（ｃ）は左側面図、図９（ｄ）は右側面図、図９（ｅ）は図９（ａ）のＥ−Ｅ線断面図、図９（ｆ）は図９（ｃ）のＦ−Ｆ線断面図である。
【００４３】
図９（ｃ）、（ｅ）、（ｆ）に示すように、キャリアー側係止部材９２は、スライド部材８９を挿入するために下側に向けて開口した挿入孔９５を有する本体部９３と、図６、７に示すようなドラム側係止部材５５の係合部５７が係合される被係合部９４とを備えている。
【００４４】
図９（ｂ）に示すように、被係合部９４は本体部９３から前方へ突出している。
図９（ｃ）、（ｄ）に示すように、被係合部９４の右側面には半球形状の凹部９６が形成され、左側面にはこの凹部９６と対向するＵ字形状の切欠き９７が形成されている。この切欠き９７の幅Ｗは、ドラム側係止部材５５に形成される半球状の凸部６３の直径より僅かに大きく設定され、連結部材４２とスライド部材８９との連結時には、図７に示すようにこの切欠き９７に凸部６３が任意の角度位置で係合するようになっている。また、半球形状の凹部９６は、ボルト６５の先端に対応した形状を備えている。
【００４５】
（作用）
上記のように構成されるバスドラム１とキャリアー２における連結構造の作用について説明する。
【００４６】
まず、バスドラム１を使用する際、演奏者はキャリアー２の一対のストラップ７１を自分の両肩に掛けるようにし、胴当プレート７２を腹部に当接させて、キャリアー２を装着する。
【００４７】
次に、この状態から、キャリアー２にバスドラム１を保持させる。まず、キャリアー２の上部に位置する各フック８３を、バスドラム１の各フック受部材２８の凹部３０に下方から差し込み、その状態でキャリアー２を持ち上げて、各フック８３の先端を各凹部３０の内端まで挿入する。すると、バスドラム１は、キャリアー２に掛止されて保持される。この状態は仮止めの状態であるが、バスドラム１の自重は、フック受部材２８をフック８３により確実に掛止する方向に作用するので、フック受部材２８からフック８３が外れることはなく、この段階でも多少の歩行移動などはできる。また、バスドラム１は、フック受部材２８の回動部２８ａによりバスドラム１の軸線（ヘッド７，８の中心を結んだ線）と平行な回動部２８ａの軸線周りに回動を許容されている。そのため、バスドラム１のヘッド７，８面を鉛直に保ったまま、バスドラム１の演奏者に対する位置を調整できるので、第２連結機構５によってバスドラム１を固定する前に、演奏しやすい位置を確認することができる。
【００４８】
次に、バスドラム１の連結部材４２の先端をキャリアー２のスライド部材８９上端に近づけるようして、連結部材４２の下端にあるドラム側係止部材５５とスライド部材８９の上端にあるキャリアー側係止部材９２とを係合させる。
【００４９】
装着に先立ち、ボルト４７とナット５２との螺合量を調節することで、連結部材４２の回動に対して、適度な抵抗が付与されている。このため、連結部材４２を回動させることができ、かつ任意の角度で手を離してもその角度が維持されるようにすれば、ドラム側係止部材５５をキャリアー側係止部材９２に容易に接続することができる。特に、図１０に示すバスドラム１ｃような大径のバスドラム１を支持する場合には、連結部材４２が演奏者側の位置に保持されると、演奏者は連結部材４２に手が届きやすくバスドラム１ｃの装着が容易になる。
【００５０】
ドラム側係止部材５５とキャリアー側係止部材９２とが係合する際、ドラム側係止部材５５の挿入部６２には、キャリアー側係止部材９２の被係合部９４が嵌り込み、キャリアー側係止部材９２の切欠き９７にドラム側係止部材５５の半球状の凸部６３が配置される。
【００５１】
この状態では、凸部６３が切欠き９７に嵌り込んでいるので、バスドラム１を上下させるような振動を与えない限り、その状態を維持できる。つまり、バスドラム１の高さを調整する場合の仮止めとすることができ、この状態からは、連結部材４２のドラム側係止部材５５とスライド部材８９のキャリアー側係止部材９２との係合を容易に解除することができる。さらに、この状態では、ドラム側係止部材５５の右側突起５９に貫通して設けられたボルト６５の先端が、キャリアー側係止部材９２の凹部９６に対向している。
【００５２】
次に、この状態から、図７に示すボルト６５を締めていくと、ボルト６５の先端が凹部９６に進入し、連結部材４２のドラム側係止部材５５とスライド部材８９のキャリアー側係止部材９２とが係合して分離することはない。また、このとき、ボルト６５の先端が凹部９６に押し付けられていなければ、この係合部は回動自在である。
【００５３】
このようにして、キャリアー２にバスドラム１を装着し、装着したバスドラム１の高さの調節を行う。図３に示すブラケット８８のボルト９１を緩めておけば、バスドラム１の高さの調整に伴い、連結部材４２を介してスライド部材８９が上下に変位する。そして、この状態でバスドラム１の上端位置を任意の位置に調整し、ボルト９１を締めスライド部材８９を固定することでバスドラム１を所望の位置に固定することができる。
【００５４】
さらに、キャリアー２にバスドラム１を装着する前に、スライド部材８９の高さを予め粗調整しておけば、バスドラム１の装着後にバスドラム１の位置を確認しながら微調整すればよいので、より調整が容易になる。
【００５５】
なお、連結部材４２のドラム側係止部材５５とスライド部材８９のキャリアー側係止部材９２とが回動自在に係合している場合は、各第１連結機構３，４と、第２連結機構５とともに、この係合部が３節リンクを構成して、フック受部材２８がフック８３をガイドとするスライダとして機能するため、フック受部材２８が変位可能な状態となる。そのため、大きな力がバスドラム１にかかった場合には、フック受部材２８がフック８３から脱落する可能性がある。
【００５６】
そこで、さらにキャリアー２によるバスドラム１の保持を確実にするには、図７に示すボルト６５をさらに締め込んで、ドラム側係止部材５５とキャリアー側係止部材９２とを固定する。このとき、ボルト６５の先端が凹部９６に押し付けられる。その結果、ボルト６５の先端と左側突起５８の内面とにより、被係合部９４が左右から締め付けられるため係合部の回動が抑制され、連結部材４２とスライド部材８９との相対回動が規制されてバスドラム１とキャリアー２とが強固に固定される。この状態では、演奏中に、行進はもちろん、バスドラム１が飛び上がるようなハードな動作をしても、バスドラム１がキャリアー２から外れることはない。
【００５７】
演奏が終了し、バスドラム１をキャリアー２から取り外す場合には、バスドラム１の装着時とは逆の順序で、まず、ボルト６５を緩めて、連結部材４２のドラム側係止部材５５をスライド部材８９のキャリアー側係止部材９２から引き抜き、第２連結機構５の係合を解く。続いて、バスドラム１を持ち上げるか、或いはバスドラム１をテーブルなどに載せてキャリアー２を引き下げれば、キャリアー２のフック８３がバスドラム１のフック受部材２８から離脱して、第１連結機構３，４の掛止も解除される。外した連結部材４２は、バスドラム１の外周に沿うように折りたたんでおけば、収納の邪魔にならない。
【００５８】
なお、一旦、スライド部材８９の高さ調整が完了すれば、再び同一のバスドラム１を装着する場合には、そのスライド部材８９の高さ調整を再び行う必要はない。
上記実施形態によれば、以下のような効果を得ることができる。
【００５９】
（１）上記実施形態では、バスドラム１とキャリアー２との連結構造における３箇所の連結部を、２箇所の第１連結機構３，４と１箇所の第２連結機構５とによって構成している。そして、第２連結機構は、２箇所の第１連結機構にバスドラム１が保持されたときの、バスドラム１の動きを規制する。その結果として、バスドラム１はキャリアー２に対して固定される。そのため、キャリアー２にバスドラム１を装着して、激しく動き回っても、バスドラム１がキャリアー２から浮き上がったり、異音を発したりすることがないという効果がある。
【００６０】
（２）さらに、バスドラム１をキャリアー２に装着する場合には、第１連結機構３，４により簡単にかつ予備的にバスドラム１を保持でき、さらに、第２連結機構５でも簡単にバスドラム１の仮止めができる。そして、キャリアー２に対するバスドラムの完全な固定を、簡単な操作で行うことができる。従って、容易にキャリアー２にバスドラム１を保持できる。
【００６１】
バスドラム１を仮止めした場合、第１連結機構３，４は第２連結機構５より上方に配置されているため、第１連結機構３，４だけでも比較的安定した状態でバスドラム１を保持でき、その状態で容易にバスドラム１の演奏者に対する位置を確認したり、運搬したりすることができる。
【００６２】
また、第２連結機構５のスライド部材８９の仮止めを行えば、バスドラム１の高さを確認した後に、バスドラム１を正確に固定できるという効果がある。
（３）また、バスドラム１をキャリアー２から外す場合でも、第２連結機構５及び第１連結機構３，４を順次、操作することで、段階的に簡単に外すことができる。
【００６３】
（４）さらに、第２連結機構５は１箇所に設けられており、図１４に示す従来例のように、２つのロッド１１６によらず、１つのスライド部材８９を用いている。そのため、２つのロッド１１６の位置調整のずれによってバスドラム１が斜めに設置されてしまうといった問題も生じず、安定して保持できる。
【００６４】
（５）上記実施形態では、バスドラム１が第１連結機構３，４に支持された状態では、バスドラム１は第１連結機構３，４のボルト３４の周りに回動でき、また、バスドラム１の回動に伴い、連結部材４２を介してスライド部材８９が上下する。従って、ボルト９１を緩め、バスドラム１の上端が演奏者の目線と一致するように、バスドラム１の高さ位置を確かめながら、演奏者の所望の位置に調整し、その位置でスライド部材８９をボルト９１で固定すれば容易にバスドラム１を演奏者の所望の位置に固定することができる。
【００６５】
（６）さらに、連結部材４２のドラム側係止部材５５とスライド部材８９のキャリアー側係止部材９２とは、仮止めあるいは回動可能な状態で係合したいずれの状態でも調整できる。また、その調整幅は大きく、かつ無段階であるため、演奏者の所望の位置にバスドラム１を設置することができる。そして、演奏時にはボルト６５を締め込むことで連結部材４２とスライド部材８９との相対回動を規制し、バスドラム１をキャリアー２に強固に固定できる。
【００６６】
バスドラム１の位置調整の際には、スライド部材８９の位置を調整してからバスドラム１を装着してもよいし、バスドラム１を装着したままスライド部材８９を移動させ、バスドラム１の位置を調整することもできる。
【００６７】
（７）一旦バスドラム１の高さを調節すれば、バスドラム１をキャリアー２から取り外した後、キャリアー２にバスドラム１を再度装着する場合でも、高さを再度調整する必要がない。
【００６８】
（８）連結部材４２は、バスドラム１側に設けられているため、バスドラム１を外径の異なるバスドラム１に交換しても、バスドラム１毎に設けられた連結部材４２により、所望に高さにバスドラム１の位置を調整することができる。
【００６９】
（第２実施形態）
次に、本発明の第２実施形態を、図１１〜図１３を参照して説明する。なお、本実施形態においては、上記第１実施形態と同様の構成については共通の符号を付すものとし、上記第１実施形態と相違する点に着目して以下に説明する。バスドラム１が、二箇所の第１連結機構３，４と、一箇所の第２連結機構５との合計３箇所の連結機構を介してキャリアー２に取り付けられる点は上記第１実施形態と同様である。本実施形態では、各連結機構の構成が上記第１実施形態と異なる。
【００７０】
図１１は、マーチングバスドラム１をキャリアー２に取り付けた状態を示し、本実施形態におけるマーチングバスドラム１の支持構造を示している。また、図１２は、図１１における第２連結機構５を示す。
【００７１】
まず、バスドラム１において、図１１に示すように、バスドラム１の胴体部６の外周面には、第１連結機構３，４を構成する２つの掛止軸１０１が設けられている。また、２つの掛止軸１０１の間において、両掛止軸１０１の下方に位置するように、胴体部６には、胴体部６の外周面に沿って弧状に延びるとともに第２連結機構５を構成するレール部材１０２が取り付けられている。図１２に示すように、レール部材１０２の中央部には溝１０３が形成されている。また、レール部材１０２の右側面には、キャリアー２側のボルト１０８を係止するための係止溝１０４が形成されている。
【００７２】
一方、キャリアー２においては、第１連結機構３，４を構成する２つのフック１０５が設けられている。このフック１０５は、上記第１実施形態のフック８３に相当する。また、フック１０５は、板状部材をＵ字状に曲げて形成されたものであり、上向きに開口している。各フック１０５に各掛止軸１０１が掛止されることで、キャリアー２にバスドラム１が取り付けられる。
【００７３】
さらに、胴当プレート７２には、スライド部材１０６が第１実施形態と同様に上下方向に調節可能に取り付けられている。第２実施形態のスライド部材１０６は、そのほぼ中間にて屈曲し、その先端が斜め前方へ突出している。
【００７４】
また、図１２に示すように、スライド部材１０６の先端には、Ｌ字形状の連結金具１０７が取り付けられ、この連結金具１０７の右側部にはボルト１０８が螺入されている。また、スライド部材１０６の先端は、前記レール部材１０２の溝１０３に嵌り込んでいる。一方、ボルト１０８の先端はレール部材１０２の側部に形成される係止溝１０４に嵌り込んでいる。
【００７５】
以上の構成において、バスドラム１をキャリアー２に取り付けた際には、スライド部材１０６の先端がレール部材１０２の溝１０３に嵌合する。そして、ボルト１０８を締め付ければ、ボルト１０８の先端が係止溝１０４の底面に当接して、ボルト１０８の先端とスライド部材１０６の外面とによってレール部材１０２が締め付けられるため、バスドラム１とキャリアー２とが強固に連結される。また、ボルト１０８を係止溝１０４から外れない程度に緩めれば、レール部材１０２に沿って、スライド部材１０６及び連結金具１０７を移動させることができる。従って、ボルト１０８を緩めた状態でスライド部材１０６をキャリアー２に対して上下に変位させれば、スライド部材１０６の先端は、レール部材１０２上を変位する。従って、スライド部材１０６とレール部材１０２との連結位置を変位させることができ、その変位に伴って、バスドラム１の高さを連続的に変更することができる。
【００７６】
本第２実施形態では、上記第１実施形態における（１），（６）と同様の効果を奏すことができる。
なお、上記各実施形態は以下のように変更してもよい。
【００７７】
・上記第１実施形態において、図１０に示すように、バスドラム１ａ，１ｂ，１ｃのサイズに合わせて長さの異なる複数の連結部材４２を使用してもよい。長さの異なる連結部材４２ａ，４２ｂ，４２ｃを使用すれば、演奏者の身長を基準に、バスドラム１の上端を演奏者の目線の位置と一致するようにすることが可能である。
【００７８】
・さらに、連結部材４２の長さを変更できるように、連結部材４２を伸縮可能に構成してもよい。この場合、連結部材４２の長さを適宜変更することにより、バスドラム１の高さを広範囲にわたって調整することができる。すなわち、スライド部材８９の高さ位置調整による連結部材４２のバスドラム１に対する角度の調整に加えて、連結部材４２自体の先端位置の変位量分だけ、調整範囲が広がる。
【００７９】
・また、連結部材４２は、バスドラム１の外周に沿うように弧状に湾曲させた形状としてもよい。この場合、バスドラム１から突出した連結部材４２をバスドラム１の外周に沿う位置まで回動させれば、バスドラム１及び連結部材４２をコンパクトに収納できる。
【００８０】
・上記第１実施形態では、フック８３がキャリアー２側に設けられ、フック受部材２８がバスドラム１側に設けられる構成としたが、逆でもよい。すなわち、キャリアー２に上向きに開口したフック受部を設け、バスドラム１に下向きに突出したフック８３を設けてもよい。
【００８１】
・上記第１実施形態において、バスドラム１に取り付けられるドラム側係止部材５５及びキャリアー２に取り付けられるキャリアー側係止部材９２は、それぞれ逆に取付けてもよい。
【００８２】
・上記第１実施形態において、連結部材４２をバスドラム１に着脱可能で、かつ装着時に回動可能に構成してもよい。この場合、連結部材４２とスライド部材８９とは、分離しないように、かつ回動可能に接続されていてもよい。
【００８３】
・さらに、スライド部材８９を備えず、キャリアー２側の異なる高さの位置に複数のキャリアー側係止部材９２が配設されたような構成でもよい。
・また、上記第２実施形態では、第２連結機構５を構成するレール部材１０２に替えて、スライド部材１０６の先端と係合可能な係止部材を異なった位置に複数配設した構成としてもよい。
【００８４】
・上記第１実施形態において、第２連結機構５の構成はそのままで、第１連結機構３，４を第２実施形態の第１連結機構３，４と置き換えてもよい。また、逆に、第２実施形態における第１連結機構３，４を、第１実施形態における第１連結機構３，４と置き換えてもよい。
【００８５】
・上記第２実施形態において、第２連結機構５の構成はそのままで、第１連結機構３，４として従来のフックによる掛け止め構造（図１４参照）を採用してもよい。この場合でも、第２連結機構５でバスドラム１を安定して固定することができる。
【００８６】
・上記各実施形態では、第２連結機構５を１箇所に設けたが、複数箇所に設けてもよい。
【図面の簡単な説明】
【００８７】
【図１】第１実施形態において、マーチングバスドラムをキャリアーに取り付けた状態を示す斜視図。
【図２】図１のＡ−Ａ線における部分断面図であって、ヘッド調整装置を示す図。
【図３】キャリアーを後側から見た全体図。
【図４】第１連結機構を示す部分平断面図。
【図５】図１におけるＢ−Ｂ断面図であって、第１連結機構及び連結ブラケットの構造を示す図。
【図６】第２連結機構を示す側断面図。
【図７】図６におけるＣ−Ｃ線断面図であって、第２連結機構を示す図。
【図８】ドラム側連結部材を示す図であって、（ａ）は正面図、（ｂ）は平面図、（ｃ）は左側面図、（ｄ）は右側面図、（ｅ）は（ｂ）のＥ−Ｅ線断面図である。
【図９】キャリアー側係止部材を示す図であって、（ａ）は正面図、（ｂ）は平面図、（ｃ）は左側面図、（ｄ）は右側面図、（ｅ）は（ａ）のＦ−Ｆ線断面図、（ｆ）は（ｃ）のＧ−Ｇ線断面図である。
【図１０】バスドラムの使用態様を示す側面図。
【図１１】第２実施形態において、マーチングバスドラムをキャリアーに取り付けた状態を示す斜視図。
【図１２】第２実施形態の第２連結機構を示す部分断面図。
【図１３】第２実施形態の第１連結機構を示す部分断面図。
【図１４】従来のマーチングバスドラムを従来のキャリアーに取り付けた状態を示す全体斜視図。
【符号の説明】
【００８８】
１，１ａ，１ｂ，１ｃ…バスドラム（マーチングバスドラム）、２…キャリアー、３，４…第１連結機構、５…第２連結機構、６…胴体部、７…ヘッド（右側ドラムヘッド）、８…ヘッド（左側ドラムヘッド）、９…ヘッド調整装置、１２…（左側）ヘッド枠、１３…（左側）フープ、２７，４５…固定プレート、２８…フック受部材（軸受部）、２８ａ…回動部、２８ｂ…被掛止部、４２，４２ａ，４２ｂ，４２ｃ…連結部材、４６…連結体、５３…凹部、５５…ドラム側係止部材、５６…結合部、５７…係合部、５８…左側突起、５９…右側突起、６２…挿入部、６３…凸部、６４…ねじ孔，６５…ボルト、７１…ストラップ、７２…胴当プレート、７３…アーム、７５…連結ブラケット、８３…フック（掛止部、軸部）、８９…スライド部材、９２…キャリアー側係止部材、９３…本体部、９４…被係合部、９６…凹部、９７…切欠き、１０１…掛止軸、１０２…レール部材（連結部材）、１０３…溝、１０４…係止溝、１０６…スライド部材、１０７…連結金具、１０８…ボルト
【図１】
2006146122.tif 000003
【図２】
2006146122.tif 000004
【図３】
2006146122.tif 000005
【図４】
2006146122.tif 000006
【図５】
2006146122.tif 000007
【図６】
2006146122.tif 000008
【図７】
2006146122.tif 000009
【図８】
2006146122.tif 000010
【図９】
2006146122.tif 000011
【図１０】
2006146122.tif 000012
【図１１】
2006146122.tif 000013
【図１２】
2006146122.tif 000014
【図１３】
2006146122.tif 000015
【図１４】
2006146122.tif 000016